(57)【要約】【課題】２つの光学部材の間の空間からゴミを効率よく除去できるようにする。【解決手段】コンデンサレンズ１４とペンタプリズム１７との間の空間ＳＰは、四方をプリズムボックス８の壁部で囲まれた空間である。プリズムボックス８の壁部のうち上記空間ＳＰと同位置の高さ位置に空気孔８ａを設けることで、外部から空間ＳＰに一直線状に空気を吹き込むことができるので、空気の勢いを衰えさせることなく空間ＳＰ内のゴミを効果的に除去できる。【選択図】図４
2009037140.tif 000002
【特許請求の範囲】
【請求項１】
複数の光学部材を積層して保持部材に保持し、互いに対向する２つの光学部材の間に、前記保持部材の壁部によって周囲を囲まれた空間が形成されるファインダ装置において、
前記保持部材の壁部には、前記閉鎖空間と外部とを連通する複数の空気孔が設けられ、少なくとも１つの空気孔は、前記複数の光学部材の積層方向において、前記２つの光学部材間の空間と同位置に設けられていることを特徴とするファインダ装置。
【請求項２】
少なくとも他の１つの空気孔は、前記複数の光学部材の積層方向において、前記２つの光学部材間の空間と同位置に設けられていることを特徴とする請求項１に記載のファインダ装置。
【請求項３】
複数の光学部材を保持部材に保持して成り、互いに対向する２つの光学部材の間に、前記保持部材の壁部によって周囲を囲まれた空間が形成されるファインダ装置において、
前記保持部材の壁部には、前記閉鎖空間と外部とを連通する複数の空気孔が設けられ、少なくとも１つの空気孔は、外部からの空気が前記２つの光学部材間の空間にほぼ一直線状に流入可能な位置に設けられていることを特徴とするファインダ装置。
【請求項４】
少なくとも他の１つの空気孔は、前記空間内の空気が外部にほぼ一直線状に流入可能な位置に設けられていることを特徴とする請求項３に記載のファインダ装置。
【請求項５】
請求項１〜４のいずれか１項に記載のファインダ装置を有するカメラ。
【発明の詳細な説明】
【技術分野】
【０００１】
本発明は、ゴミ対策を講じたファインダ装置およびカメラに関する。
【背景技術】
【０００２】
カメラのファインダ装置を構成する光学部品にゴミが付着すると、そのゴミがファインダ像と重なって視認されるおそれがある。特に焦点面に近い光学部品に付着したゴミは目立つため、撮影者に不快感を与える。ファインダ構成部品のうちユーザによる交換が可能な部材や、ミラーボックスに面した部位に付着したゴミは、ブロア等を用いて除去することができるが、ファインダ装置内の閉鎖された空間に面した部位に付着したゴミは、ファインダ装置を分解しないと除去できななかった。
【０００３】
この問題に対し、上記閉鎖空間に高圧空気を導いてゴミを排除できるようにしたファインダ装置がある（例えば、特許文献１参照）。このファインダ装置では、２つの光学部材（コンデンサレンズとペンタプリズム）の間の空間が、周囲をファインダ保持部材で囲まれた閉鎖空間とされ、この閉鎖空間に空気を送り込むための空気孔が保持部材に設けられている。空気孔を介して閉鎖空間に高圧空気を送り込み、他の空気孔から空気を排出することで、閉鎖空間内のゴミを除去する。その後、全ての空気孔を塞ぐことで、閉鎖空間内への新たなゴミの侵入を防止する。
【０００４】
【特許文献１】特開平１１−１０９４４３号公報（図７）
【発明の開示】
【発明が解決しようとする課題】
【０００５】
しかしながら、特許文献１の構成では、ファインダ保持部材の空気孔がペンタプリズムの側方に設けられているため、圧縮空気をコンデンサレンズとペンタプリズムの間の空間に直接送り込むことができない。すなわち、空気孔から上記空間に至るまでに折れ曲がった空気通路が存在し、空気孔から送り込んだ高圧空気は、空気通路の壁にぶつかった後に上記空間に流入する。このため空間に流入する空気の勢いが衰えてしまい、効率よくゴミを排出することができない。
【課題を解決するための手段】
【０００６】
本発明に係るファインダ装置は、複数の光学部材を積層して保持部材に保持し、互いに対向する２つの光学部材の間に、保持部材の壁部によって周囲を囲まれた空間が形成されるものであって、保持部材の壁部には、閉鎖空間と外部とを連通する複数の空気孔が設けられ、少なくとも１つの空気孔は、複数の光学部材の積層方向において、２つの光学部材間の空間と同位置に設けられている。
本発明の他のファインダ装置では、上記少なくとも１つの空気孔を、外部からの空気が２つの光学部材間の空間にほぼ一直線状に流入可能な位置に設けて成る。
本発明に係るカメラは、上述したファインダ装置を有する。
【発明の効果】
【０００７】
本発明によれば、２つの光学部材の間の空間からゴミを効率よく除去できる。
【発明を実施するための最良の形態】
【０００８】
図１〜図８により本発明の一実施の形態を説明する。
図１は本実施形態におけるデジタル一眼レフカメラの全体構成図である。１はカメラ本体、２はカメラ本体１に取り付けられる前ボディ、３は交換レンズ（不図示）が装着されるレンズマウントである。前ボディ２は、カメラ本体１内にミラーボックスＭＢを形成するとともに、図２に示すようにペンタユニットＰＵを保持する。ミラーボックスＭＢ内に配置されたミラーユニットＭＵは、主ミラー４およびサブミラー５から成り、撮影光路に挿入される待機位置と、撮影光路から退避する撮影位置との間で回動可能とされる。
【０００９】
ミラーユニットＭＵが待機位置にあるとき、撮影レンズの透過光束の一部は、主ミラー４で反射されてペンタユニットＰＵに導かれ、ペンタプリズム１７から射出した光が接眼レンズ１８〜２０を介して観察される。これらのペンタユニットＰＵおよび接眼レンズ１８〜２０にてファインダ装置が構成される。一方、主ミラー４を透過した一部の光束は、サブミラー５で反射されて焦点検出モジュールＡＦＭに導かれ、焦点検出に寄与する。撮影が指示されると、ミラーユニットＭＵが撮影位置に跳ね上げられ、撮影レンズの透過光束は、シャッタ６を介して撮像素子７に導かれる。
【００１０】
図３はペンタユニットＰＵの分解斜視図、図４は組立後の断面図である。
ペンタユニットＰＵは、主ミラー４の反射光軸方向に積層された複数の構成部品９〜１７（以下に詳述）を、保持部材としてのプリズムボックス８に保持して成る。プリズムボックス８を前ボディ２の上部に取り付けることで、ペンタユニットＰＵが前ボディ２に一体化される。
【００１１】
フォーカシングスクリーン１０は、スクリーン押さえ枠９を介してプリズムボックス８に固定される。ユーザによってフォーカシングスクリーン１０が交換可能なカメラでは、フォーカシングスクリーン１０を取り外すことでゴミを簡単に除去することができる。フォーカシングスクリーン１０の上には、ファインダ視野範囲を制限するための視野マスク１１が配置され、更にその上に拡散型液晶１２が配置される。拡散型液晶１２は、撮像素子７の記録範囲が変更されたとき、それに応じてファインダ像の観察範囲を変更するためのものである。拡散型液晶１２の上部には、スペーサ１３を介してコンデンサレンズ１４が配置される。コンデンサレンズ１４は、歪曲収差を補正するとともに、ピント面からの拡散光をアイポイントに集光させる役割を果たす。
【００１２】
コンデンサレンズ１４の上部には、スペーサ１５を挟んで視野マスク１６およびペンタプリズム１７が配置される。スペーサ１５は、例えば樹脂等の弾性部材で構成され、その弾性力でコンデンサレンズ１４を常時押さえている。樹脂製のスペーサ１５は、帯電し易いためゴミやケバが付着し易く、そこで、スペーサ１５の内側側面に粘着剤を塗布することで、その内側側面に付着したゴミやケバがファインダ視野に入らないようにしている。視野マスク１６は、液晶を用いたファインダ内表示の表示領域外をマスクするために設けられる。
【００１３】
次に、ペンタユニットＰＵのゴミ対策について説明する。
図４から分かるように、コンデンサレンズ１４とペンタプリズム１７との間の空間は、四方をプリズムボックス８の壁部で囲まれた閉鎖空間ＳＰとされ、組立時にこの空間ＳＰ内に微細なゴミが侵入すると、そのゴミがコンデンサレンズ１４の上面（射出面）１４ａや、ペンタプリズム１７の下面（入射面）に付着することがある。これらの面はフォーカシングスクリーン１４、つまり焦点面に近いため、付着したゴミがファインダ観察時に比較的くっきり見えてしまい、撮影者が不快感を抱くおそれがある。
【００１４】
そこで本実施形態では、空間ＳＰ内侵入したゴミを除去可能な構成とすべく、プリズムボックス８の壁部に、空間ＳＰの内外を連通する一対の空気孔８ａ，８ｂを設けた。これらの空気孔８ａ，８ｂは、矩形状に配置されたプリズムボックス８の４つの壁部のうち、ファインダ画面の一方の短辺に対応する壁部において、空間ＳＰと同一の高さ位置に形成される。そして、一方の空気孔８ａは、外部から空間ＳＰに空気を流入させるための孔として機能し、他方の空気孔８ｂは、空間ＳＰから外部に空気を排出するための孔として機能する。
【００１５】
カメラ製造時、ペンタユニットＰＵの組立てが完了すると、例えばエアコンプレッサを使用してごみ除去作業を行う。図４に示すように、エアコンプレッサのノズルＮＺを流入用の空気孔８ａに正対させ、空間ＳＰに空気を吹き込む。本実施形態では、空気孔８ａが空間ＳＰと同一の高さ位置に形成されているため、ノズルＮＺから発した高圧空気は、何らの部材にぶるかることもなく、勢いを保ったまま空間ＳＰに直接、かつ一直線状に流入する。特に空気孔８ａは、コンデンサレンズ１４の上面（射出面）とほぼ同等の高さ位置にあるため、勢いを失っていない高圧空気は、コンデンサレンズ１４の上面に沿って進み、各壁部にぶつかりつつ図５に示すような渦状の流れとなって空間内を隅々まで高速で流通し、次第に空気孔８ｂから外部に排出される。
【００１６】
空間ＳＰ内で空気の流れの弱い箇所は殆どないので、空間内に存在していた多くのゴミ（コンデンサレンズ１４の上面やペンタプリズム１７の下面に付着していたゴミも含む）を外部に排出することができる。また、上述したようにスペーサ１５の内側面に粘着剤を塗布しておけば、一部のゴミはそこに吸着されて留まり、コンデンサレンズ１４の上面やペンタプリズム１７の下面に付着することはない。
【００１７】
ここで、空間ＳＰのうち、ゴミ除去作業中に空気の流速が低下する箇所は、空気孔８ａと８ｂの間の部分Ａ（図６）である。このため、空気孔８ａ，８ｂの間隔は、なるべく短い方がよい。本実施形態では、プリズムボックス８の４つの壁部のうち、ファインダ画面の一方の短辺に対応する壁部に空気孔８ａ，８ｂを設けたので、空気孔８ａ，８ｂの間隔が短くなり、図示Ａ部を小さくすることができる。また、空気孔８ａ，８ｂはそれぞれ両角部に近い位置に形成されているので、角部における空気の淀みもない。したがって、効果的なゴミの除去が可能である。
【００１８】
因みに、特許文献１のようにファインダ画面の長辺に対応する壁部に空気孔８ａ，８ｂを設けた場合は、孔８ａ，８ｂの間隔が長くなるためＡ部が大きくなり（図７）、また図８のように長辺において空気孔８ａ，８ｂの間隔を狭めると、角部（Ｂ部，Ｃ部）でも空気の流速が低下し、いずれもゴミ除去効果が低下する。ただし、上述のように空気孔８ａ，８ｂを空間ＳＰと同一高さ位置に設ければ、図７，図８の構成でもゴミ除去効果はそれなりに高い。
【００１９】
ゴミ除去作業後、空気孔８ａ，８ｂを粘着テープ２１（図２，図３）などで塞ぐと、空間ＳＰはほぼ密閉空間となり、カメラがユーザの手に渡ってから空間ＳＰにゴミが侵入することはない。
【００２０】
なお、空間ＳＰが形成される箇所は、コンデンサレンズ１４とペンタプリズム１７の間に限定されない。また、３以上の空気孔を形成してもよい。
【図面の簡単な説明】
【００２１】
【図１】本発明の一実施形態におけるデジタル一眼レフカメラの構成図。
【図２】ペンタユニットと前ボディとを示す斜視図。
【図３】ペンタユニットの分解斜視図。
【図４】ペンタユニットをカメラ正面方向から見た断面図。
【図５】ペンタユニットの空間内における空気の流れを説明する平面断面図。
【図６】実施形態における空気孔の位置が有利なことを説明する図。
【図７】他の例における空気孔の位置が不利なことを説明する図。
【図８】図７と同様の図。
【符号の説明】
【００２２】
８  プリズムボックス
８ａ，８ｂ  空気孔
１４  コンデンサレンズ
１５  スペーサ
１７  ペンタプリズム
ＰＵ  ペンタユニット
ＳＰ  空間
【図１】
2009037140.tif 000003
【図２】
2009037140.tif 000004
【図３】
2009037140.tif 000005
【図４】
2009037140.tif 000006
【図５】
2009037140.tif 000007
【図６】
2009037140.tif 000008
【図７】
2009037140.tif 000009
【図８】
2009037140.tif 000010